(57)【特許請求の範囲】
【請求項１】
記録媒体に記録されている情報を読み出して一旦メモリに格納し、該メモリから格納情報を読み出して出力する情報再生装置において、再生した情報の信号レベルを検出する手段と、再生した情報の信号レベルが所定レベルより下がったと判断した際に再生対象情報の終了と判断する手段と、終了と判断されたときの情報が前記メモリに格納されると前記記録媒体の駆動を停止し、前記メモリに格納された最終情報の出力が終了する前に次の処理に移行する制御手段とを備えたことを特徴とする情報再生装置。
【発明の詳細な説明】
【技術分野】
【０００１】
本発明は、ディジタルオーディオ信号などの情報信号をディスクから再生する装置に関する。
【背景技術】
【０００２】
近年、光ディスクを用いたディジタルオーディオ機器が開発されている。再生専用のシステムとしてはコンパクトディスク（以下、「ＣＤ」という）プレーヤが良く知られており、記録可能なシステムとしては、１回のみ書き込みが可能な追記型光ディスクシステムがある。さらに何回でも記録ができる光磁気方式の光ディスクシステムも開発されつつある。その例として、非特許文献１に開示されたミニディスク（ＭＤ）システムがある。ＭＤシステムは、光磁気方式によってディスクにデータ圧縮した音声信号を記録再生するものであり、あらかじめディスクにはトラッキング制御のための案内溝が成形されており、さらに案内溝にはディスク全周に連続的に付されたアドレス情報が記録されている。そのため記録信号の有無に拘らず検索が可能となっている。
【０００３】
図２０は、ＭＤシステムのブロック回路図である。図において、１０１は２チャンネルオーディオ入力端子、１０２はアナログ／ディジタル変換回路（Ａ／Ｄコンバータ）、１０３はエンコーダ、１０４は記録メモリ、１０５は誤り訂正符号の付加や信号の変調を行う記録信号処理回路、１０６はシステムの各回路に必要なクロックを生成し供給するクロック生成回路、１０７は記録ヘッド駆動回路、１０８は記録磁気ヘッド、１はディスク、２は光ピックアップ、３は再生アンプ、６は復調や誤り訂正を行う再生信号処理回路、１６はバッファメモリ、１７はデコーダ、７はディジタル／アナログ変換回路（Ｄ／Ａコンバータ）、８は２チャンネルオーディオ出力端子、１８はアドレスデコーダ、１１はマイクロコンピュータ、１２はサーボ回路、１３はディスクモータ、１４はキー入力、１５は表示回路である。
【０００４】
図２１は、記録再生時の信号処理のタイミング図である。図２０および図２１にもとづいて動作を説明する。記録時には、オーディオ入力端子１０１に供給されたアナログオーディオ信号は、Ａ／Ｄコンバータ１０２においてサンプリングされ、ディジタル信号に変換される。このディジタル音声信号はエンコーダ１０３にて圧縮符号化されて、元の情報量の約１／５に削減される。
【０００５】
圧縮された信号は記録メモリ１０４に一旦蓄えられ、図２１（ｂ）のように間欠的に圧縮前と同じレートで読み出される。間欠的に読み出すことによりメモリへのデータの書き込みレートとメモリからの読み出しレートの差を吸収している。記録信号処理化回路１０５では、再生時に誤りを分散させるために信号順序を並べ替えるインタリーブ処理、および誤り訂正符号を生成して付加するとともに、信号の変調を施す。この変調信号は記録ヘッド駆動回路１０７を介して記録磁気ヘッド１０８からディスク１に光磁気記録される。記録動作は間欠的に供給される変調信号（図２１（ｃ））に対応して行われ、図２１（ｄ）に示すように、信号の記録動作と記録休止とを交互に繰り返し、記録を行う前にそれまでに記録した部分の最後のアドレスを検索し、それに連続して記録していく。
【０００６】
再生時には、光ピックアップ２からディスク１に対して光を照射し、その反射光によってディスク１上に書かれている信号を読み取る。この光情報は光ピックアップ２で電気信号に変換され、再生アンプ３に供給される。再生アンプ３で増幅された信号は再生信号処理回路６に与えられ、ＥＦＭ（Ｅｉｇｈｔ  ｔｏ  Ｆｏｕｒｔｅｅｎ  Ｍｏｄｕｌａｔｉｏｎ）等の方式で復調されるとともに、誤り検出および訂正処理、信号の順序を元に戻すデインタリーブ処理が行われた後バッファメモリ１６へ出力される。
【０００７】
一方、再生アンプ３の出力はアドレスデコーダ１８にも供給される。このアドレスデコーダ１８は、ディスク１にあらかじめ刻まれている光スポットの案内溝に含まれるアドレス情報を取り出すことが目的で、ディスク全周に連続的に付されたアドレス信号を再生するとともに、案内溝のウォブリングを検出することでトラッキング情報を得ている。このトラッキング情報はサーボ回路１２に供給され、光ピックアップ２が所定の案内溝を走査するようにトラッキングサーボがかけられるとともに、案内溝のうねりが一定周期になるようにディスク１の回転を線速度一定に保つサーボをかけディスクモータ１３を制御する。
【０００８】
ディスク１からの信号の読み取りは、記録時の書き込みと同様に間欠的に行われ、図２１（ｅ）および（ｆ）に示すように再生動作と再生休止状態とを交互に繰り返し、バッファメモリ１６から読み出された信号はデコーダ１７に与えられ、圧縮前の情報量に復元されたオーディオ信号は、Ｄ／Ａコンバータ７でアナログ信号に変換された後、オーディオ出力端子８から出力される。マイクロコンピュータ１１は、アドレスデコーダ１８からのディスク案内溝に刻まれているアドレス信号と、オーディオ信号に対応して記録されているアドレス信号とを受け、さらに外部からのキー入力１４を受けてシステム全体の制御を行う。また表示回路１５を駆動し、システムの動作モード，再生経過時間等の情報を表示する。
【０００９】
このシステムでは、光ピックアップ２でディスク１から約１．４Ｍビット／秒（Ｍｂｐｓ）のレートで信号を読み取る。一方、伸長回路１７への入力レートは約０．３Ｍｂｐｓであるため、１Ｍビットのバッファメモリ１６を用いた場合、ディスクから約０．９秒読み出すとバッファメモリ１６は一杯になる。また、バッファメモリ１６一杯の圧縮データで約３秒の再生ができる。このため、例えば外乱によって光ピックアップ２がジャンプした場合でも、バッファメモリ１６にデータが保持されているのですぐには音切れはなく、バッファメモリ１６内の信号がなくなる前にジャンプする直前の箇所を検索して信号をバッファメモリ１６に書き込むことで、音切れなく連続した再生ができる。
【００１０】
また、複数枚のディスクを装置に装填し、そこから１枚を選択して再生する情報再生装置として、車載用あるいは据置き用マガジン式チェンジャーＣＤプレーヤーがある。図２２は従来のマガジン式チェンジャーＣＤプレーヤーのブロック回路図である。６枚ないし１０枚のＣＤを１つのマガジンに装填し、そのマガジンをプレーヤーのチェンジャーメカニズム１００に装着する。その後使用者が指定したＣＤがマガジンから引き出され、ディスクメカニズム（図示せず）に装着されて再生される。従って、あるディスクの再生中に使用者が他のディスクを再生するためにディスクチェンジのキー操作を行った場合には、まず現在再生中のディスクの回転を停止させた後マガジンに収納し、それから指定された別ディスクをマガジンから引出しディスクメカニズムに装着して回転させ再生動作を開始する。
【００１１】
このようなチェンジャータイプの情報再生装置でディスクの交換をする時、ディスクの再生が終了してから次のディスクを再生するまで、次に示すような処理を行う必要があり、かなりの時間を要する。
１．  ディスクの回転を停止する。
２．  再生の終了したディスクをマガジンに格納する。
３．  次に再生するディスクをマガジンから取り出す。
４．  ディスクを装着する。
５．  ディスクを回転する。
６．  ＴＯＣ（Ｔａｂｌｅ  Ｏｆ  Ｃｏｎｔｅｎｔｓ）情報を読み込む。
【００１２】
また、通常、ＣＤでは、プログラムの終了時に約２〜３秒の無音部分を含んでいることが多く、プログラムが終了してから上記に示すような処理が開始されるまでに約２〜３秒かかり、ディスクの交換時の無音の時間はさらに長くなる。
【００１３】
以上のように、ディスクチェンジに要する時間は少なくても数秒以上かかり、この間は再生音が出力されない無音状態が続くため、無音時間を短縮するようディスクチェンジメカニズムの高速化が従来から図られていたが限界があった。そこで、メモリを利用して無音時間をなくす例が特開平３−２７３５８６号公報に開示されている。この装置では、再生速度より高速でＣＤから信号を読み取ってメモリに格納し、メモリからは所定の再生速度で信号を読み出す。そして、ディスクチェンジの無音時間の間はメモリに格納した信号を読み出し続けることにより実質的に無音時間をなくすようにしたものである。
【非特許文献１】日経エレクトロニクス１９９１年１２月９日号ｐ．１６０〜ｐ．１６８の掲載記事「ミニディスク、光磁気記録とデータ圧縮技術で実現する」
【発明の開示】
【発明が解決しようとする課題】
【００１４】
従来のＭＤシステムは以上のように構成されているので、再生時にバッファメモリ１６内のデータが残り少ない時に衝撃により光ピックアップ２がトラックずれを起こした場合、バッファメモリ１６内のデータがすぐ空になり、音切れが生じる場合がある。また、バッファメモリ１６でデータが時間遅延するため、光ピックアップ２で再生したアドレスあるいは時間情報をそのまま表示すると、端子８から出力しているデータに対応したものとは異なったものを表示することになる。
【００１５】
さらに従来のチェンジャータイプの情報再生装置では、複数のＣＤをあらかじめ決められた順序で、かつ、あらかじめ決められた曲順で再生する場合には無音時間をなくするか、または短縮することができるが、再生中に使用者が強制的にディスクチェンジを指定した場合には、メモリには必要な信号が格納されていないため無音時間短縮の効果が全くないという問題点がある。
【００１６】
この発明は上記のような問題点を解消するためになされたもので、１枚のディスクのプログラムの再生が終了してから、次のディスクのプログラムの再生が開始されるまでの時間を短縮することのできるディスク再生装置を提供することを目的とする。
【００１７】
また、震動によりトラックずれがいつ起こっても、メモリの容量を有効に利用して可能な限り音切れの生じないシステムを提供することを目的とする。
【００１８】
また、ディスク交換時に生じる無音時間が短いチェンジャータイプのディスク装置を提供することを目的とする。
【００１９】
また、再生したアドレスあるいは時間情報を出力している信号のものに対応するよう補正して表示を行う情報再生装置を提供することを目的とする。
【００２０】
また、ディスクチェンジの際の無音時間を大幅に短縮するか、またはなくすことにより、複数枚のディスクを再生する場合でも１枚のディスク再生するのと同じ感覚で使用できる情報再生装置、特に、使用者が強制的にディスクチェンジを指定したような場合にも無音時間を短縮できる情報再生装置を提供することを目的とする。
【００２１】
また、あるディスクを再生中に他のディスクの内容を知ることができる、または全ディスクの内容を耳で確認することのできる操作性のよい情報再生装置を提供することを目的とする。
【課題を解決するための手段】
【００２２】
第１の発明に係る情報再生装置は、複数の記録媒体それぞれの再生対象情報の先頭部分を記憶する部分情報メモリと、次に再生する記録媒体の先頭部分の情報を出力している間に媒体チェンジを終了させ、先頭部分に続く情報を、新たな再生対象の記録媒体から読み出して先頭部分の情報に連続して出力する制御手段とを備えたことを特徴とする。
【００２３】
第１の発明の情報再生装置にあっては、複数の記録媒体の再生対象情報の先頭部分の情報、例えば音楽情報であれば先頭曲の曲頭部分を部分情報メモリに記憶しておき、媒体チェンジが指令されたとき、次に再生する記録媒体の先頭部分の情報を部分情報メモリから読み出して出力し、その出力期間に媒体チェンジを終了して、新たな記録媒体から先頭部分に続く情報を読み出して先頭部分の情報に連続して出力し、媒体チェンジ時に発生する無音時間を可及的に短縮する。
【００２４】
第２の発明に係る情報再生装置は、複数の記録媒体それぞれの記録情報の一部分を部分情報として記憶する部分情報メモリと、指定された記録媒体の部分情報を選択的に読み出して再生出力する手段とを備えたことを特徴とする。
【００２５】
第２の発明の情報再生装置にあっては、複数の記録媒体の記録情報の記録内容を把握可能な記録情報の一部分を部分情報として部分情報メモリに記憶しておき、指定された記録媒体の部分情報を部分情報メモリから選択的に読み出して再生出力し、実際に記録媒体を駆動しなくても記録媒体の内容把握を可能とする。
【００２６】
第３の発明に係る情報再生装置は、複数の記録媒体それぞれの記録情報の一部分を部分情報として記憶する部分情報メモリと、指定された記録媒体の部分情報を選択的に読み出して再生出力する手段と、装置電源が遮断されたときに部分情報メモリの記憶情報が消滅しないようにバックアップする補助電源と、新しい記録媒体に差し換えられたことを装置電源遮断中にも検出する手段と、装置電源投入後に、差し換えにより新しく加わった記録媒体の一部分の情報を部分メモリに格納する手段とを備えたことを特徴とする。
【００２７】
第３の発明の情報再生装置にあっては、複数の記録媒体の記録情報の記録内容を特定し得るような記録情報の一部分を部分情報として部分情報メモリに記憶しておき、指定された記録媒体の部分情報を部分情報メモリから選択的に読み出して再生出力するとともに、装置電源の遮断中にも記録媒体の入れ換えを検出して、入れ換えにより新しく加わった記録媒体の部分情報を部分情報メモリに記憶し、実際に記録媒体を駆動しなくても記録媒体の内容把握を可能とする。
【発明の効果】
【００２８】
本発明に係わる情報再生装置は、メモリに蓄えるデータの最低量が指定できるため、ピックアップが震動でトラックずれをおこしても、正常な音だしができる時間を最大値にとれるように設定することができる。
【００２９】
また、メモリに蓄えるデータの最低量によりメモリへの書き込みおよび読み出しの周期をかえることができるため、他系統の再生信号処理を行うのに都合がよいように大きな周期を設定することもできる。
【００３０】
また、ディスクチェンジャータイプの情報再生システムにおいては、ディスク交換時にメモリに蓄えられているデータ量が最大になるように制御できるので、ディスク交換時の無音時間を短縮できる。
【００３１】
また、再生したアドレスあるいは時間情報は、メモリの書き込みアドレスと読み出しアドレスの差を用いて補正されて表示されるので、メモリから出力されるデータに対応した表示ができて時間ずれを感じさせない。
【００３２】
また、プログラムの再生を終了する場合、プログラムが終了する直前の信号の出力レベルから、そのディスクのプログラムの終了を検出し、直ちにディスクを停止するようにしたので、これを複数のディスクを自動的に交換するシステムに応用すれば、ディスクの交換時の無音の時間を短縮することができ、ディスクの交換がスムーズに行える。
【００３３】
また、再生プログラムをバッファメモリに一時保持するようにしたので、プログラムの再生が終了する前にディスクを停止することができ、これを複数のディスクを自動的に交換するシステムに応用すれば、ディスクの交換時の無音の時間を短縮することができ、ディスクの交換がスムーズに行える。
【００３４】
また、再生プログラムをバッファメモリに一時保持し、プログラムが終了する直前の信号の出力レベルから、そのディスクのプログラムの終了を検出し、直ちにディスクを停止するようにしたので、プログラムの再生が終了する前にディスクを停止することができ、これを複数のディスクを自動的に交換するシステムに応用すれば、ディスクの交換時の無音の時間を短縮することができ、ディスクの交換がスムーズに行える。
【００３５】
また、あらかじめ複数枚のディスクの先頭の曲の曲頭部分をそれぞれ再生して記憶手段に記憶し、ディスクチェンジのキー操作がなされたときには、次に再生すべきディスクに対応した曲頭部分を記憶手段から出力するとともにその期間内にディスクチェンジを終了させ、記憶手段からの出力信号に連続するディスク上の位置を検索して記憶手段からの出力に連続するように再生するので、あるディスクの再生中にディスクチェンジを行った場合でもディスクチェンジに伴う無音状態を実質的になくすことができる操作性の優れたディスク再生装置が得られる。
【００３６】
また、複数枚のディスクの先頭の曲の曲頭部分をそれぞれ再生して記憶手段に記憶し、キー操作に応じて記憶手段から複数の曲頭部分を連続的に再生、あるいは記憶手段から一部の曲の曲頭部分を再生するので、あるディスクの再生中にも他のディスクの内容を知ることができる、あるいは全ディスクの内容を耳で確認することが可能な操作性の優れたディスク再生装置が得られる。
【００３７】
さらに、あらかじめ複数枚のディスクの先頭の曲の曲頭部分をそれぞれ再生して記憶手段に記憶し、キー操作に応じて記憶手段から複数の曲頭部分を連続的に再生、あるいは記憶手段から一部の曲の曲頭部分を再生し、電源遮断中にもディスク検出手段によって各ディスクの入れ換えを確認して、入れ換えられたディスクについてのみ先頭の曲の曲頭部分をそれぞれ再生して記憶手段に記憶し再生すべき信号として保持するので、ディスク入れ換えがないときには、メイン電源投入後の使用者の待ち時間がなく、一部のディスクのみが入れ換えられたときにも使用者の待ち時間が少ないにも拘らずディスクチェンジに伴う無音状態を実質的になくすことができ、また、他のディスクの内容、あるいは全ディスクの内容を知ることができる操作性の優れたディスク再生装置が得られる。
【発明を実施するための最良の形態】
【００３８】
実施の形態１．
以下、この発明の情報再生装置を図に基づいて説明する。なお、従来例と同一、又は相当部分には同一符号を付してその説明を省略する。図１は実施の形態１のブロック回路図で、記録系は省略して再生系のみ示したものである。図中、１６はバッファメモリ、３１はバッファメモリ１６の書き込みアドレスを生成する回路、３２はバッファメモリ１６の読み出しアドレスを生成する回路、３３はセレクタ、３４は書き込みフラグ生成回路で、読み出しアドレス３２ａと書き込みアドレス３１ａの差と、端子３６から入力される基準値とから書き込みフラグを生成する。３５は書き込み制御回路で、書き込みアドレス生成回路３１へのクロックおよびバッファメモリ１６の書き込みパルス３５ａを制御することによりバッファメモリ１６の書き込みを制御する。
【００３９】
図２はｍビットのアドレスをもつメモリに蓄えられているデータ量と、書き込みおよび読み出しアドレスの関係を示したメモリマップで、Ｗは書き込んでいるデータ、Ｒは読み出しているデータを示す。この書き込みアドレスおよび読み出しアドレスは、カウントアップしながらバッファメモリ１６のアドレス０から２m −１を巡回する。図２（ａ）は書き込みアドレスが読み出しアドレスより大きなアドレスの場合で、斜線部がバッファメモリ１６に蓄えられているデータ量を示しており、この斜線領域が広いほど書き込みストップしてからの再生時間が長くとれる。図２（ｂ）は図２（ａ）からさらにアドレスが進んでＷのアドレスが０にもどり、さらにカウントアップしてＲがＷより大きなアドレスとなった場合を示している。
【００４０】
次に動作について説明する。再生信号処理回路６で誤り訂正されたデータは、書き込みアドレス生成回路３１で生成される書き込みアドレスにもとづき、間欠的にバッファメモリ１６に書き込まれる。書き込むときは１．４Ｍｂｐｓのレートで書き込まれる。一方、バッファメモリ１６に蓄えられているデータは、読み出しアドレス生成回路３２で生成されるアドレスにもとづき、０．３Ｍｂｐｓで連続的に読み出される。書き込みフラグ生成回路３４は、書き込みアドレス３１ａと読み出しアドレス３２ａとの差からバッファメモリ１６に残っているデータ量を算出し、算出したデータ量が端子３６から入力された第一の基準値Ｅ以下になると書き込みフラグを“０”（書き込み可）とし、算出したデータ量がアドレス最大値“２m ”あるいはその付近の２m より小さい値からあらかじめ選定した第２の基準値Ｆ以上になると書き込みフラグを“１”（書き込み禁止）とする。
【００４１】
書き込み制御回路３５は、書き込みフラグが“０”の時はディスク１から再生したデータをバッファメモリ１６に書き込むためのアドレスを生成するよう書き込みアドレス生成回路３１を制御し、また、バッファメモリ１６へ書き込みパルス３５ａを出力する。書き込みフラグが“１”の時は逆に書き込みアドレスが更新されないように書き込みアドレス生成回路３１へのクロックの供給を停止するとともに、バッファメモリ１６への書き込みクロックの供給を停止する。
【００４２】
このようにバッファメモリ１６内のデータ量が第１の基準値Ｅ以下に減るとバッファメモリ１６はデータの書き込みを行い、バッファメモリ１６のデータ量がオーバーフロする直前を示す第２の基準値Ｆに増えると、再びバッファメモリ１６内のデータ量がＥに減るまで書き込みを禁止する。
【００４３】
図３はバッファメモリ１６内のデータ量の変化を示した図で、横軸に時間を、縦軸にバッファメモリ１６内のデータ量をとったもので、図３（ａ）は第一の基準値Ｅを大きくとった例を、図３（ｂ）は小さくとった例をそれぞれ示している。図３（ａ）の場合は、常に多量のデータをバッファメモリ１６内に蓄えてあるので、振動に対し有利である。また、図３（ｂ）の場合は、書き込み禁止期間が長いため、この期間を他系統の再生等に利用する事ができる。なお、第一の基準値Ｅの値は、用途に応じて端子３６から設定する。
【００４４】
また、光ピックアップ２がトラックズレを起こした場合、アドレスデコーダ１８でこれを検知して書き込み制御回路３５へ出力する。書き込み制御回路３５はトラックズレの場合、バッファメモリ１６内のデータ量がＥ以下になってもアドレスが正常にもどるまで書き込みを禁止する。
【００４５】
図４は書き込みフラグ生成回路３４の一構成例を示したブロック回路図で、４０は書き込みアドレス値３１ａから読み出しアドレス値３２ａを減算する減算器、４１は減算器４０の出力の極性を判定してプラスの場合は“０”、マイナスの場合は“２m ”を出力する極性判定器、４２は加算器、４３は基準値に対する加算器４２の出力の大小を判定する比較器で、減算器４０，極性判定器４１および加算器４２によりバッファメモリ１６に残っているデータ量を算出する演算器４４を構成している。
【００４６】
図２（ａ）の場合は、減算器４０の出力は正であるので、加算器４２の出力は減算器４０の出力と同じである。また、図２（ｂ）の場合は、減算器４０の出力は負であるため、加算器４２で減算器４０の値に“２m ”が加算されて出力される。このように極性判定器４１により、図２の斜線部のメモリに残っているデータ量が正の値で出力される。比較器４３は、この加算器４２の出力が第一の基準値Ｅより小さくなると“１”を出力し、２m 付近の定められた第二の基準値Ｆに達するとバッファメモリ１６がオーバーフロしないように“０”を出力して書き込み制御回路３５で書き込みを禁止するよう制御する。
【００４７】
実施の形態２．
図５は本発明の情報再生装置の実施の形態２を示すブロック回路図で、５０はディスク１から再生された信号からディスク上の位置情報または演奏経過時間に相当する時間情報を抽出するサブ情報抽出回路である。なお、この実施の形態２は、複数枚のディスク１をマガジンに収納し、全ディスクの連続再生、あるいはプログラム選択再生が可能なチェンジャータイプのシステムであって、ＣＤのチェンジャーシステムでは再生中のディスクが終了すると、次のディスクに自動的に交換されて再生が続行するが、このディスク交換時に無音時間が１０〜１５秒程度生じる。
【００４８】
１ＭビットのＲＡＭをバッファメモリ１６に使用した場合、ＭＤシステムでは再生時間にして３秒相当の圧縮信号がメモリに蓄えられるので、４Ｍビットのメモリを使用すると１２秒相当の圧縮信号を蓄えることができる。実施の形態２は、これを利用してディスクチェンジ時の無音時間の短縮を図ったものである。
【００４９】
次に動作について説明する。
キー入力１４で連続再生かプログラム再生かが指定され、プログラム再生の場合は、更に再生する曲のディスク番号と局番も指定される。これらの指定はマイクロコンピュータ１１の内部メモリ（図示省略）に蓄えられ、マイクロコンピュータ１１は、サブ情報抽出回路５０で抽出されたディスク上の位置を示すアドレスあるいは時間情報から、再生中のディスクの再生すべき最後の曲が終了したか否かを判定する。最後の曲とは連続再生の場合はそのディスクの最終曲であり、プログラム再生の場合はそのディスク中のプログラムされた最後の曲である。なお、ディスクの一部に記録されているＴＯＣ情報を読み取ることにより各曲のスタート、およびエンドの位置、あるいは時間情報が得られる。
【００５０】
マイクロコンピュータ１１は曲が終了したと判定すると、書き込みストップ信号１１ｂをストップモードにして書き込み制御回路３５へ出力し、再生信号をバッファメモリ１６へ書き込むことを禁止する。禁止状態では書き込みアドレスは更新されず、また、バッファメモリ１６へ供給する書き込みクロックも出力されない。
【００５１】
次に、ディスク９が交換されて復調信号が正常に再生されると、復調ＯＫの信号６ａが再生信号処理回路６から出力される。マイクロコンピュータ１１はこの信号を検出すると書き込みストップ信号１１ｂを解除モードにする。書き込み制御回路３５は再びアドレスを更新しながら新しいディスク１の曲をバッファメモリ１６へ書き込んでゆき、前のディスク１の最終曲と新しいディスク１の最初の曲が、バッファメモリ１６内でほぼ連続してストアされるので、ディスク交換時の無音時間が短縮される。
【００５２】
バッファメモリ１６の容量をかえることでバッファメモリ１６への入力に対する出力の遅延によって吸収する時間を任意に選択できる。しかし、あまり大きな容量のメモリを用いると、吸収する時間が大きくなるため１枚しか再生しない場合ディスク１の再生がストップしてからも音が出るため、違和感を与える。したがって、大きな容量のメモリを使用する場合は、次のディスクを再生するようプログラムされている場合に限り、図３(a) に示すように、第１の基準値Ｅを大きくして多量のデータをバッファメモリ１６内に蓄えるようにした方がよい。しかし、システムを別の室などに置いて音を聞く場合は、常に第一の基準値Ｅを高く保持しておいてもよい。
【００５３】
実施の形態３．
図６は本発明の情報再生装置の実施の形態３を示すブロック回路図で、５１はアドレスデコーダ１８の出力を保持するレジスタ、５２はレジスタ５１の出力を書き込みフラグ生成回路３４を構成する演算器４４（図４参照）の出力を用いて補正するアドレス補正回路である。
【００５４】
これまで説明してきたように、バッファメモリ１６の容量を大きくとるほどバッファメモリ１６での遅延時間が大きくなる。このためアドレスデコーダ１８で抽出したアドレスデータをマイクロコンピュータ１１が時間データに変換して表示する場合、出力端子８から出力される曲と表示されている時間情報とのずれが大きくなる。例えば、４Ｍビットのメモリを使用して最大１２秒間の遅延が生じた場合、演奏が曲番２に変わってから１２秒が経過したとの表示がなされた時、曲番２の音楽が端子８から出力され始めることになる。
【００５５】
本実施の形態３はこのような不都合を解消するものであって、レジスタ５１はアドレスデコーダ１８から出力されるアドレスをラッチする。バッファメモリ１６への書き込みが行われている間、レジスタ５１は更新されるが、書き込みが禁止されている間は、更新されない。したがって、レジスタ５１のアドレスはバッファメモリ１６へ書き込まれた最新のデータのものとなっており、書き込みアドレスか指定しているアドレスにストアされているデータの位置情報に相当するといえる。
【００５６】
他方、書き込みフラグ生成回路３４の演算器４４の出力は、読み出しアドレスと書き込みアドレスの差である。これをアドレス補正回路５２でディスク１上のアドレス差に変換する。１アドレスに含まれるデータ量は一定であるので、この変換は簡単に演算できる。そしてアドレス補正回路５２は、求めたアドレス差をレジスタ５１のアドレスから引いたアドレスをマイクロコンピュータ１１へ出力する。マイクロコンピュータ１１はこれを時間に変換して表示させる。アドレス補正回路５２から出力されるアドレスは、バッファメモリ１６から読み出されるデータのアドレスに相当するものであるため、再生している曲の実際の演奏経過時間と表示時間とのずれは生じない。
【００５７】
なお、再生信号処理回路６および伸長回路１７での遅延時間は、通常無視しても問題ない値であるため、バッファメモリ１６での遅延時間さえ補正すれば問題はない。また、ディスク１から再生したアドレスから時間を求める場合は、マイクロコンピュータ１１が時間情報に変換して表示する。
【００５８】
また、実施の形態２では、曲の終了の判定にサブ情報抽出回路５０の出力を用いたが、アドレスデコーダ１８の出力を用いても同様な効果を奏する。
【００５９】
また、実施の形態３では、アドレスの補正にアドレスデコーダ１８の出力を用いたが、図５のサブ情報抽出回路５０を設け、この出力を用いても同様な効果を奏す。
【００６０】
また、各実施の形態１〜３では、第２の基準値Ｆを固定値にしたが、第１の基準値Ｅと同様に外部から任意に設定できるようにしてもよい。
【００６１】
さらに、各実施の形態１〜３では、オーディオ信号を例にしたが、ディジタル信号を再生する装置であれば同様な効果が得られる。
【００６２】
実施の形態４．
図７は、本発明に係る情報再生装置の実施の形態４の構成を示す図である。図において、１〜５，７〜１５はそれぞれ図２２に示す従来例と同じであるので、説明は省略する。２０は終了検出回路で、再生中のディスクのプログラムの終了を検出する。
【００６３】
本実施の形態４では、信号処理回路５で元の信号に復元された時系列ディジタルオーディオ信号は、終了検出回路２０に入力される。終了検出回路２０は、１枚のディスクのプログラムの終了時間までに、再生される情報信号のレベルが所定のレベルより小さくなった時にプログラムの終了であると判断する。
【００６４】
図８にプログラムの終了検出時のタイミング図を示す。図において、（ａ）は再生信号レベル、（ｂ）は従来のＣＤシステムの動作モード、（ｃ）は実施の形態４の動作モードを示す。
【００６５】
ＣＤのＴＯＣ情報に記録されている曲の再生時間等により、プログラムは時刻ｔ3 で終了することが既にわかっており、従来のＣＤシステムでは時刻ｔ3 でプログラムの再生を終了し、ここでディスク１は停止する。しかし、この発明による実施の形態では、終了検出回路２０においてプログラムの終了する時刻ｔ3 以前の所定時間ｑ秒間の再生信号のレベルを監視し、所定時間ｐ秒（ｐ＜ｑ）の間、無音あるいはレベルが非常に低く聴き取ることのできないレベル（可聴限）以下の信号が連続した場合、残りの時刻ｔ2 〜ｔ3 の間はすべて無音であると判断して、ディスク１からの読み出しを時刻ｔ2 で打ち切り、直ちにディスク１を停止する。
【００６６】
このようにすることにより、従来のＣＤシステムと比較して、ディスク１が停止するまでの時間をｓ秒短縮することができ、これを複数のディスクを自動的に交換するシステムに応用すれば、ディスクの交換時の無音の時間を短縮することができるため、１枚目のディスクの再生が終了してから、次のディスクの再生が開始されるまでの時間を短縮することができる。
【００６７】
実施の形態５．
実施の形態５は、再生した圧縮情報をバッファメモリに一時記憶して伸長して出力するＭＤシステムのバッファメモリを利用してディスク交換時の無音の時間をさらに短縮するものである。図９は、この実施の形態５の構成を示す図である。図において、従来および前述の実施の形態と同一、又は相当部分には同一符号を付してその説明は省略する。
【００６８】
次に動作について説明する。光ピックアップ２でディスク１上に書かれている信号を読み取り、信号処理回路５で信号系列の誤りを訂正し、インタリーブ処理により信号の順序を並べ替えられた信号系列を元の順序に戻すデインタリーブ処理までは従来装置と同じである。バッファバッファメモリ１６と伸長回路１７は、図１０に示すように、マイクロコンピュータ１１の制御により、間欠的に入力されるデータを一時蓄え、圧縮されたデータを伸長し、元の時系列データを連続的に出力する。つまり、図中時刻ｔ0 〜ｔ1 の間にバッファバッファメモリ１６に入力された信号系列は、時刻ｔ2 〜ｔ4 の間で連続的に出力される。また、同様に時刻ｔ2 〜ｔ3 、ｔ4 〜ｔ5 、ｔ6 〜ｔ7 の間に入力された信号系列は、それぞれ時刻ｔ4 〜ｔ6 、ｔ6 〜ｔ8 、ｔ8 〜ｔ10の間に連続的に出力される。また時刻ｔ1 〜ｔ2 、ｔ3 〜ｔ4 、ｔ5 〜ｔ6 、ｔ7 〜ｔ8 の間（図中の斜線部分）は、バッファバッファメモリ１６の書き込みが停止している部分である。
【００６９】
このように元の連続的な時系列データに復元された信号は、Ｄ／Ａコンバータ７を経てアナログオーディオ出力端子８からアナログオーディオ信号が出力されるとともに、ディジタル出力回路９を経て、ディジタルオーディオインタフェースの規格に準じたディジタルオーディオ信号が、ディジタルオーディオ出力端子１０より出力される。マイクロコンピュータ１１は、再生された付加情報およびキー入力１４により、サーボ回路１２や信号処理回路５等の各種制御を行うとともに、システムの動作モードや時間等の情報を表示回路１５を介して表示部に表示する。
【００７０】
本実施の形態５では、実施の形態２と同様にバッファバッファメモリ１６を利用して、再生信号が終了する前にディスクを停止するが、実施の形態２よりさらに無音時間を短くする。図１１にプログラムの終了時のタイミング図を示す。図において、（ａ）は従来のＣＤの再生出力、（ｂ）は実施の形態２のディスク読み出しタイミング、（ｃ）は実施の形態２の再生出力、（ｄ）は実施の形態５のディスク読み出しタイミング、（ｅ）は実施の形態５の再生出力を示す。
【００７１】
従来のＣＤシステムでは、図１１（ａ）に示すように時刻ｔ5 でプログラムの再生を終了し、ここでディスクを停止し、ディスクを交換した後、時刻ｔ11で再生を開始する。よって、ディスクの交換にかかる時間ｋ秒の間、無音となる。しかしバッファバッファメモリ１６を用いた実施の形態２では、図１１（ｂ），（ｃ）に示すように時刻ｔ3 でディスク１からの読み出しが終了して、マイクロコンピュータ１１の制御によりバッファバッファメモリ１６への書き込みは終了し、ディスク１を停止して、ディスク交換を開始し、時刻ｔ6 で次のディスク１からの読み出しを再開する。この場合、再生情報信号はバッファバッファメモリ１６に一時保持されているため、連続的な時系列の再生出力は時刻ｔ5 まで続いており、時刻ｔ9 で再び再生出力が開始されるため、ディスク交換にかかる時間ｋ秒が変わらないとすれば、この実施の形態５の場合、無音の時間はｋ−ｈ秒となり、ｈ秒だけ短縮される。
【００７２】
さらに、実施の形態５では、以下のような動作を行うことができる。すなわち、この実施の形態５では、ディスク１の再生を再開するとき、図１１（ｄ），（ｅ）に示すように、最初にディスク１から読み出したデータはすぐに伸長処理して出力し、２回目からは従来通り読み出すようにマイクロコンピュータ１１により制御すると、無音の時間は、実施の形態２よりさらにｉ秒短縮される。つまり、図１１（ｄ），（ｅ）に示すように、時刻ｔ6 〜ｔ7 でディスク１より読み出したデータはすぐに伸長処理して、時刻ｔ7 〜ｔ10の間に出力し、時刻ｔ7 〜ｔ8 に読み出したデータは、時刻ｔ10以降に出力する。このようにすることにより、無音の時間はさらにｉ秒短縮され、ｋ−ｈ−ｉ秒になる。図１１中、斜線の部分が無音部分である。
【００７３】
実施の形態６．
図１２は、本発明の情報再生装置の実施の形態６のブロック回路図である。なお、従来例及び前述の実施の形態と同一、又は相当部分には同一符号を付してその説明を省略する。本実施の形態６では、圧縮データを一時記憶するバッファメモリを用いるＭＤシステムに、実施の形態４と同様の終了検出回路２０を付加する。信号処理回路５で元の信号に復元された時系列ディジタルオーディオ信号は、終了検出回路２０に入力される。終了検出回路２０は、１枚のディスクのプログラムの終了時間以内に、再生される情報信号のレベルが所定レベルより小さくなる時にプログラムの終了であると判断する。
【００７４】
図１３にプログラムの終了検出時のタイミング図を示す。図において、（ａ）は再生信号レベル、（ｂ）は従来のＣＤの再生出力、（ｃ）は実施の形態６のディスク読み出しタイミング、（ｄ）は実施の形態６の再生出力、（ｅ）は実施の形態７の再生出力を示す。
【００７５】
ＣＤ等のＴＯＣ情報に記録されている曲の再生時間等により、プログラムは時刻ｔ6 で終了することが既にわかっており、従来のＣＤシステムでは時刻ｔ6 でプログラムの再生を終了し、ここでディスク１を停止し、ディスクを交換した後、時刻ｔ11で再生を開始する。よって、ディスク交換にかかる時間ｋ秒の間、無音となり（斜線部分Ｙ）、また、プログラムの最後の無音あるいはレベルが非常に低く聴き取ることのできないレベル（可聴限）以下の信号がｈ秒再生される（斜線部分Ｘ）ので、実質的にｈ＋ｋ秒の無音部がある。
【００７６】
しかし、バッファバッファメモリ１６および終了検出回路２０を用いた本実施の形態６では、プログラムの終了する時刻ｔ6 よりも以前の所定時間ｑ秒間の再生信号のレベルを監視し、所定時間ｐ秒（ｐ＜ｑ）の間、つまり時刻ｔ3 〜ｔ4 の間、無音あるいはレベルが非常に低く聴き取ることのできないレベル（可聴限）以下の信号が連続した場合、残りの時刻ｔ4 〜ｔ6 の間もすべて無音であると判断して、ディスク１からの圧縮データの読み出しを時刻ｔ2 で打ち切り、直ちにディスク１を停止して、ディスク交換を開始し、時刻ｔ7 で次のディスク１からの読み出しを再開する。この場合、再生情報信号はバッファバッファメモリ１６に一時保持されているため、連続的な時系列の再生出力は時刻ｔ5 まで続いており、時刻ｔ9 で再び再生出力が開始されるため、ディスク交換にかかる時間ｋ秒が変わらないとすれば、この実施の形態６の場合、無音が再生される時間はｉ秒短縮されてｈ＋ｋ−ｉとなる。図１３中、斜線部分Ｘは再生出力であるが、無音とみなせる部分であり、斜線部分Ｙは、ディスク交換等による無音部分である。
【００７７】
実施の形態７．
さらに、図１３（ｅ）に示すように、ディスクの再生を再開するとき、最初にディスク１から読み出したデータはすぐに伸長処理して出力し、２回目からは従来通り読み出すようにすると、無音が再生される時間はさらにｊ秒短縮され、ｈ＋ｋ−ｉ−ｊ秒になる。
【００７８】
なお、実施の形態４〜７においては、無音あるいはレベルの低い音声を検出する場合に再生信号のレベルを用いたが、再生信号のレベルを判定するために、例えばスケールファクタ等の再生信号のレンジを表す値を用いてもよい。
【００７９】
また、実施の形態４〜７においては、無音あるいはレベルが非常に低く聴き取ることのできないレベル（可聴限）以下の信号になった場合にディスク１からの読み出しを打ち切ったが、これは、ある所定のレベルであってもよく、また、その場合、ディスク１からの読み出しを打ち切った以降の情報は、ノイズが発生しないように図１４に示すように再生信号を近似して求めて出力してもよい。
【００８０】
実施の形態８．
図１５はチェンジャータイプの本発明の情報再生装置の実施の形態８のブロック回路図である。図中、従来例又は前述の実施の形態と同一、又は相当部分には同一符号を付してその説明を省略する。図中、１９はローパスフィルタ（ＬＰＦ）、２１は誤り訂正回路、２２はメモリデータ入出力回路、２３は第１のメモリ、２４は第１のメモリのアドレス制御回路、２５は第２のメモリ、２６は第２のメモリのアドレス制御回路である。従来と同様に、復調回路４で復調された再生信号は、誤り制御回路２１に入力され、誤り検出および訂正処理がなされ、またインターリーブが施されている信号の順序を元に戻すデインタリーブ処理が行われる。この処理が施された再生信号はメモリデータ入出力回路２２を介して、アドレス制御回路２４の制御に従って第１のメモリ２３に書き込まれる。一旦メモリ２３に蓄えられた再生信号は読み出され、メモリデータ入出力回路２２を介してデコーダ１７に与えられる。
【００８１】
第１のメモリ２３への信号の書き込みは、第１のメモリ２３からの読み出しより速い速度で行われる。すなわち、ディスク１からの信号の読み取り速度は第１のメモリ２３からの出力の転送速度より高速に行われるため、第１のメモリ２３内の信号量は増加していく。メモリ２３内の信号量があらかじめ定めた所定量（オーバーフロー設定量）に達したとき、メモリデータ入出力回路２２はメモリ２３への信号書き込みを停止する。同時に、マイクロコンピュータ１１はそのときのディスク上の位置情報を記憶し、その位置を繰り返しサーチするようサーボ制御回路１２を制御する。その間にも第１のメモリ２３からの信号読み出しは一定速度で順次続けられ、メモリ内の信号量があらかじめ定めた所定量（アンダーフロー設定量）に達すると、メモリデータ入出力回路２２は信号書き込みを再開させる。従って、第１のメモリ２３には少なくともアンダーフロー設定量以上の信号が保持される。このため、例えば外乱などによって光ピックアップ２がジャンプして所定のトラックを走査できなくなって第１のメモリ２３への信号書き込みが停止されても、既に保持されている信号を読み出し続け、その間にジャンプする直前の再生位置をサーチして光ピックアップ２を復帰させることにより第１のメモリ２３から連続した出力が行える。
【００８２】
この情報再生装置にディスクを装填したとき、マイクロコンピュータ１１はチェンジャーメカニズム１００に対し、５枚のディスクから自動的に順次１枚づつディスクを引出してディスクメカニズムに装着するよう指令する。装着されたディスク１は定常再生時と同じように再生が開始されるが、再生されるのは各ディスクの第１曲目の最初の所定時間分、例えば１０秒間である。このとき光ピックアップ２で読み取られた信号は、上述の信号経路を通ってメモリデータ入出力回路２２に供給されるが、第１のメモリ２３ではなく第２のメモリ２５に記憶される。図１６は第２のメモリ２５のデータ記憶状態を示す概念図である。各ディスクの第１曲目の最初の１０秒間分の圧縮信号が、第２のメモリ２５のそれぞれ領域１〜５に格納される。ディスクの番号とメモリ上の領域との対応関係はマイクロコンピュータ１１によって管理される。
【００８３】
次に、あるディスクの再生途中で使用者がディスクチェンジの操作を行ったときの動作を考える。図１７はこのときの動作を説明する制御フローチャートである。まず、キー入力１４によりディスクチェンジの指示が入力されると（Ｓ１）、マイクロコンピュータ１１は再生中のディスクのオーディオ出力をミュートし（Ｓ２）、同時にディスク回転を停止させチェンジャーメカニズム１００に対しディスクチェンジを指令し、ディスクチェンジを開始する（Ｓ３）。つぎに、キー入力１４によって指示された次に再生すべきディスクに対応する第２のメモリ２５内の信号をメモリから読み出すようにメモリアドレス制御回路２６に指令を与え、メモリアドレス制御回路２６は所定のアドレス制御を行って、対応するディスクの第１曲目の最初の１０秒間分の信号を選択して読み出す（Ｓ４）。このときメモリデータ入出力回路２２は、第１のメモリ２３でなく第２のメモリ２５から読み出された信号をデコーダ１７に供給するよう信号の選択を行う。そしてデコーダ１７によって復元された信号が、Ｄ／Ａコンバータ７およびＬＰＦ１９を介しオーディオ出力端子８から、またディジタル出力回路９を介しディジタルオーディオ出力端子１０から出力され、ミュートが解除される（Ｓ５）。
【００８４】
このとき第２のメモリ２５から出力される信号は１０秒間分のオーディオ信号が圧縮されたものなので、第１曲目の最初の１０秒間のオーディオ再生が行える。この間にチェンジャーメカニズム１００はディスクチェンジを行い、再生すべきディスクが装着されたならば、第１曲目の最初の１０秒間分のオーディオ信号に連続する信号の位置を高速検索する（Ｓ６）。すなわち、ディスク上の信号には所定間隔毎にアドレス情報が記録されているので、最初にメモリ２５に取込んだ信号の最終アドレスをマイコン１１は記憶し、そのアドレスに連続する次のアドレスを検索する。
【００８５】
次に、光ピックアップ２は検索した位置から信号の読み取りを行い、信号は上述の定常的な再生動作と同様に第１のメモリ２３に蓄積される（Ｓ７）。この間も出力されるのは第２のメモリ２５内に蓄えられている信号である。そして第２のメモリ２５内の対応する最後の信号が出力された後（Ｓ８）、メモリデータ入出力回路２２は第１のメモリ２３からの信号を出力するよう切替えられ（Ｓ９）、またメモリアドレス制御回路２４は取り込んだ信号を順次読み出すようメモリアドレスを制御する。従って、先頭の１０秒間は、あらかじめメモリ２５に蓄えていた信号が再生され、その信号の続きから切れ目なくディスクからの信号を再生することができる。
【００８６】
実施の形態９．
図１８は実施の形態９のＭＤチェンジャーシステムの動作を説明するフローチャートである。システムのブロック構成は図１５と同様である。まず、ディスクを装填されたとき、上述したように第２のメモリ２５には各ディスクの第１曲目の最初の１０秒間分の圧縮信号が、それぞれ領域１〜５に格納される。
【００８７】
使用者が、あるディスクの再生中に他のディスクの内容を一時的に確認したい場合には、対応するキーを操作すると（Ｓ１１）、マイクロコンピュータ１１は、第２のメモリ２５内の対応する領域の信号を読み出すよう制御する。すなわち、メモリデータ入出力回路２２に対しては、出力信号を第１のメモリ２３内の信号から第２のメモリ２５内の信号に切替える（Ｓ１２）。第２のメモリアドレス制御回路２６に対しては、領域１〜５の内のキー操作に対応した領域の信号を読み出すように指示する（Ｓ１３）。そして、この１０秒間分のオーディオ信号を出力した後（Ｓ１４）、再びそれまで再生していたディスクの続きを再生する（Ｓ１５）。
【００８８】
次に例えば使用者が全ディスクの内容を確認したい場合、対応するキーを操作すると、マイクロコンピュータ１１は、その時点でメモリデータ入出力回路２２に対し、出力する信号を第１のメモリ２３内の信号から第２のメモリ２５内の信号に切替える。そして第２のメモリアドレス制御回路２６に対しては、領域１〜５の信号を順次読み出すように指示する。メモリアドレス制御回路２６からのメモリアドレスに従って読み出された信号は、メモリデータ入出力回路２２を介してデコーダ１７に供給されディジタルオーディオ信号が復元される。従って、オーディオ出力としては各ディスクの先頭曲の最初の１０秒間づつが順次再生されることになる。また、もしこの１０秒間の再生中に再生スキップを指示されたならば、マイクロコンピュータ１１は第２のメモリアドレス制御回路２６に対して、次に再生する領域の最初のメモリアドレスにジャンプするよう指示することにより簡単にスキップが行える。
【００８９】
実施の形態１０．
図１９は本発明の情報再生装置の実施の形態１０のブロック回路図である。実施の形態１０では、全ディスクの一部情報の再生にはある程度の時間を必要とするため、電源投入時に常にこれを行っていたのでは使用者にとっては再生を開始するまでの待ち時間が長くなってしまうので、ディスクが入れ換えられなければ、一旦電源が遮断されても第２のメモリ２５内の信号はそのまま使えることを利用してマイクロコンピュータ１１と第２のメモリ２５の電源をバックアップ電源２７でバックアップしておく。また、チェンジャーメカニズム１００には各ディスクのディスク入れ換えを検出するためのディスク検出スイッチ２８を設ける。そして、マイクロコンピュータ１１は、メイン電源（図示せず）遮断中にもディスク検出スイッチ２８によってディスク入れ換えの有無を監視し、いずれかのディスクが入れ換えられた場合には、次のメイン電源投入後に新しいディスクのみの一部情報を再生するよう制御する。従って、ディスク入れ換えがないときには、メイン電源投入後の使用者の待ち時間をなくすことができるし、一部のディスクのみが入れ換えられたときにも待ち時間を減らすことができる。
【００９０】
もちろんこの実施の形態１０の装置は実施の形態８，９にも適用できる。なお、上述の説明では、第２のメモリ２５に記憶する信号を各ディスクの先頭曲の最初の１０秒間としたが、先頭曲でなくてもよく、また最初の１０秒間でなくても、曲の途中の適当な時間分でもよい。但し、実施の形態８においては、第２のメモリ２５内の信号を出力している間にディスクチェンジと位置検索を行うので、各ディスクの最初の何秒間かの情報である必要があり、さらに無音時間短縮の十分な効果を得るためにはある程度以上の時間分の信号が必要となる。
【００９１】
また、実施の形態８〜１０では、第１のメモリ２３と第２のメモリ２５を別のものとして説明したが、同一のメモリを使用しメモリアドレスを制御することにより、同様の機能動作が実現できるのは明らかである。さらに、本発明による制御は図１７および図１８のフローチャートの通りでなくても実現できることは明白である。
【図面の簡単な説明】
【００９２】
【図１】本発明の情報再生装置の実施の形態１の回路ブロック図である。
【図２】実施の形態１のバッファメモリ内のデータ格納状態の概念図である。
【図３】実施の形態１のバッファメモリ内のデータ量と基準値Ｅとの関係を示すグラフである。
【図４】実施の形態１の書き込みフラグ生成回路の回路ブロック図である。
【図５】本発明の情報再生装置の実施の形態２の回路ブロック図である。
【図６】本発明の情報再生装置の実施の形態３の回路ブロック図である。
【図７】本発明の情報再生装置の実施の形態４の回路ブロック図である。
【図８】実施の形態４の情報再生装置と従来のＣＤシステムとのディスク駆動停止のタイミングチャートである。
【図９】本発明の情報再生装置の実施の形態５の回路ブロック図である。
【図１０】実施の形態５の情報再生装置のタイミングチャートである。
【図１１】実施の形態２及び実施の形態５の情報再生装置と従来のＣＤシステムのタイミングチャートである。
【図１２】本発明の情報再生装置の実施の形態６及び実施の形態７の回路ブロック図である。
【図１３】実施の形態６及び実施の形態５の情報再生装置と従来のＣＤシステムのタイミングチャートである。
【図１４】実施の形態４〜７の情報再生装置の再生打切り時の近似出力を示す図である。
【図１５】本発明の情報再生装置の実施の形態８の回路ブロック図である。
【図１６】実施の形態８及び実施の形態９の情報再生装置の第２メモリの概念図である。
【図１７】実施の形態８の情報再生装置の動作のフローチャートである。
【図１８】本発明の情報再生装置の実施の形態９の動作のフローチャートである。
【図１９】本発明の情報再生装置の実施の形態１０の回路ブロック図である。
【図２０】従来のＭＤシステムの回路ブロック図である。
【図２１】従来のＭＤシステムのタイミングチャートである。
【図２２】従来のマガジン式チェンジャータイプのＣＤプレイーヤの回路ブロック図である。
【符号の説明】
【００９３】
１  ディスク、２  光ピックアップ、３  再生アンプ、４  復調回路、５  信号処理回路、９  ディジタル出力回路、１１  マイクロコンピュータ、１２  サーボ回路、１３  ディスクモータ、１４  キー入力、１５  表示回路、１６  バッファメモリ、１８  アドレスデコーダ、２０  終了検出回路、２２  メモリデータ入出力回路、２３  第１のメモリ、２４  第１のメモリアドレス制御回路、２５  第２のメモリ、２６  第２のメモリアドレス制御回路、２７  バックアップ電源、２８  ディスク検出スイッチ、３１  書き込みアドレス生成回路、３２  読み出しアドレス生成回路、３４  書き込みフラグ生成回路、３５  書き込み制御回路、４４  データ量算出演算器、５０  サブ情報抽出回路、５１  レジスタ、５２  アドレス補正回路、１００  チェンジャーメカニズム。
【図１】
0003559930.tif 000002
【図２】
0003559930.tif 000003
【図３】
0003559930.tif 000004
【図４】
0003559930.tif 000005
【図５】
0003559930.tif 000006
【図６】
0003559930.tif 000007
【図７】
0003559930.tif 000008
【図８】
0003559930.tif 000009
【図９】
0003559930.tif 000010
【図１０】
0003559930.tif 000011
【図１１】
0003559930.tif 000012
【図１２】
0003559930.tif 000013
【図１３】
0003559930.tif 000014
【図１４】
0003559930.tif 000015
【図１５】
0003559930.tif 000016
【図１６】
0003559930.tif 000017
【図１７】
0003559930.tif 000018
【図１８】
0003559930.tif 000019
【図１９】
0003559930.tif 000020
【図２０】
0003559930.tif 000021
【図２１】
0003559930.tif 000022
【図２２】
0003559930.tif 000023